(57)【特許請求の範囲】
【請求項１】
多糖類を含む被処理水の凝集剤であって、
芳香族ポリアミド粒子、或いは該芳香族ポリアミド粒子の分散液又は溶液を含み、
該芳香族ポリアミド粒子の粒径が１０μｍ以下であり、
前記芳香族ポリアミド粒子の分散液又は溶液が、前記芳香族ポリアミド粒子に酸を添加してなる酸性分散液又は酸性溶液であることを特徴とする凝集剤。
【請求項２】
請求項１において、前記酸が硫酸であることを特徴とする凝集剤。
【請求項３】
多糖類を含む被処理水に凝集剤を添加して凝集処理した後、膜分離処理する水処理方法において、該凝集剤として、請求項１又は２に記載の凝集剤を用いることを特徴とする水処理方法。
【請求項４】
多糖類を含む被処理水に凝集剤を添加して凝集、固液分離処理し、得られた分離水を膜分離処理する水処理方法において、該凝集剤として、請求項１又は２に記載の凝集剤を用いることを特徴とする水処理方法。
【請求項５】
請求項４において、前記固液分離処理が沈殿処理、加圧浮上処理、濾過処理、もしくは膜分離処理のいずれかであることを特徴とする水処理方法。
【請求項６】
請求項３ないし５のいずれか１項において、前記凝集処理又は凝集、固液分離処理後の膜分離処理が逆浸透膜分離処理であることを特徴とする水処理方法。
【発明の詳細な説明】
【技術分野】
【０００１】
本発明は、各種産業排水や生活排水または該排水の生物処理水あるいは表層水、地下水などの被処理水に含まれる有機物を、効率的に凝集処理するための凝集剤および水処理方法に関する。詳しくは、本発明は、生物代謝由来の高分子有機物を含む被処理水を膜分離処理する際の前処理として、凝集処理又は凝集、固液分離処理を行う際に、該被処理水に添加する凝集剤と、この凝集剤を用いた水処理方法に関する。
【背景技術】
【０００２】
ｉ）  排水や表層水、地下水から、純水を得るために、不純物やイオンを取り除くための高度処理として膜分離処理が用いられている。膜分離処理に先立ち、膜に対し処理性能を低下させる汚染物質である水溶性有機物を低減させるための凝集、又は凝集、固分離処理による前処理が広く行われている。
【０００３】
ii）  汚染物質の例としては、生物代謝物（多糖類、タンパク質）、腐植物質（フミン酸、フルボ酸）、界面活性剤（ノニオン、カチオン）などが挙げられ、これらの有機物は、精密濾過膜、限外濾過膜、逆浸透膜の膜面に付着したり、あるいは膜モジュールの流路を閉塞させたりして、透過水量の低下を引き起こすことが知られている。
【０００４】
iii）  前述した汚染物質の中で、親水性物質である多糖類は、膜汚染性が高く、不可逆的ファウリングを引き起こすことが知られている。被処理水に含まれている多糖類は、有機炭素検出型サイズ排除クロマトグラフ法（ＬＣ−ＯＣＤ）によって、分子量1万以上のピークとして検出できることが分かっている（非特許文献1）。
【０００５】
iv）  汚染物質を除去するための前処理には、塩化第二鉄やポリ塩化アルミニウムなどの無機凝集剤が用いられてきた。しかし、無機凝集剤のみでの凝集処理では、大量の無機凝集剤が必要となり汚泥発生量の増加に繋がる。無機凝集剤とカチオン性の高分子凝集剤を併用して汚泥発生量を削減する試みも行われてきたが（特許文献１）、生物代謝物に対しての凝集除去効果は十分なものではなかった。
【０００６】
ｖ）  有機物を含む被処理水、特に多糖類のような生物代謝由来の高分子有機物を含む被処理水を、凝集・固液分離処理した後、後段に膜分離処理、特に逆浸透膜分離処理を行う処理方法において、凝集処理による多糖類の除去は不十分であり（非特許文献１）、残存した多糖類は逆浸透膜の透水性能を低下させるほか、非可逆性のファウリングを引きこす原因物質となっていることが課題である。本発明者らが試験を行った結果、多糖類のモデル物質であるグアガムを１ｍｇ／Ｌ含んだ水を逆浸透膜（日東電工社製、ＥＳ２０）分離処理すると、グアガムが逆浸透膜に付着し、１００時間の通水でフラックスが約５０％も低下するという知見が得られている（図１）。
【０００７】
vi）  汚染物質を吸着除去する方法として、芳香族ポリアミドからなる吸着剤を用い、該吸着剤に汚染物質を吸着させる方法が知られている（特許文献２）。しかし、この吸着剤は合成した芳香族ポリアミドを凍結粉砕することで粉末化しているため粒径が大きい。従って、凝集剤として用いた場合、表面積が小さいため、凝集効果が低く、大量に添加する必要がある。特許文献３には、粒径１０〜２００ｎｍのコロイド状の吸着剤を被処理水と接触させることによる、汚染物質の除去方法が記載されている。しかし、芳香族ポリアミドからなるコロイド状の粒子を用いた場合の除去効果については記載されていない。
【０００８】
vii）  粒径１０μｍ以下の芳香族ポリアミドからなる粒子を容易に作製する方法として、芳香族酸クロライドを含む第一溶液と芳香族ジアミン化合物を含む第二溶液を、第一溶液および第二溶液の溶媒のいずれにも可溶な溶媒の存在下に混合し、超音波による撹拌下、混合溶液から芳香族ポリアミドを析出させる方法が知られている（特許文献４）。
【先行技術文献】
【特許文献】
【０００９】
【特許文献１】特開２０１３−２０２４５２号公報
【特許文献２】特許第３８６４８１７号公報
【特許文献３】特開２０１３−２２３８４７号公報
【特許文献４】特許第４３０４４３４号公報
【非特許文献】
【００１０】
【非特許文献１】Yamamura  et  al.  Water  Research,  Vol.54(2014),123−136
【非特許文献２】Tambo  et  al.,  Water  Research,  Vol.12(1978),931−950
【発明の概要】
【発明が解決しようとする課題】
【００１１】
上記の通り、従来、汚染物質の除去に用いられている芳香族ポリアミドからなる吸着剤は、粒径が大きいために、多糖類等の生物代謝物の凝集処理のためには、大量に添加する必要がある。
【００１２】
本発明は、有機物を含む被処理水、特に生物代謝由来の高分子有機物を含む被処理水を凝集処理、又は凝集、固液分離処理した後、後段に膜分離処理、特に逆浸透膜分離処理を行う水処理において、多糖類等の生物代謝由来の高分子有機物を、少ない添加量で効率的に凝集処理して、後段の分離膜の不可逆性のファウリングや透水性能の低下を防止し、長期に亘り安定かつ効率的な水処理を行うことができる凝集剤と、この凝集剤を用いた水処理方法を提供することを課題とする。
【課題を解決するための手段】
【００１３】
本発明者らは、上記課題を解決すべく鋭意検討を重ねた結果、凝集剤として粒径１０μｍ以下の芳香族ポリアミド粒子を用いることにより、被処理水中の多糖類等の生物代謝由来の高分子有機物を効率的に凝集処理することができることを見出し、本発明を完成させた。
即ち、本発明は以下を要旨とする。
【００１４】
［１］  芳香族ポリアミド粒子、或いは該芳香族ポリアミド粒子の分散液又は溶液を含む凝集剤であって、該芳香族ポリアミド粒子の粒径が１０μｍ以下であることを特徴とする凝集剤。
【００１５】
［２］  ［１］において、前記芳香族ポリアミド粒子の分散液又は溶液が、前記芳香族ポリアミド粒子に酸を添加してなる酸性分散液又は酸性溶液であることを特徴とする凝集剤。
【００１６】
［３］  ［２］において、前記酸が硫酸であることを特徴とする凝集剤。
【００１７】
［４］  被処理水に凝集剤を添加して凝集処理した後、膜分離処理する水処理方法において、該凝集剤として、［１］ないし［３］のいずれかに記載の凝集剤を用いることを特徴とする水処理方法。
【００１８】
［５］  被処理水に凝集剤を添加して凝集、固液分離処理し、得られた分離水を膜分離処理する水処理方法において、該凝集剤として、［１］ないし［３］のいずれかに記載の凝集剤を用いることを特徴とする水処理方法。
【００１９】
［６］  ［４］又は［５］において、前記被処理水が生物代謝物を含むことを特徴とする水処理方法。
【００２０】
［７］  ［６］において、前記被処理水が多糖類を含むことを特徴とする水処理方法。
【００２１】
［８］  ［５］において、前記固液分離処理が沈殿処理、加圧浮上処理、濾過処理、もしくは膜分離処理のいずれかであることを特徴とする水処理方法。
【００２２】
［９］  ［４］ないし［８］のいずれかにおいて、前記凝集処理又は凝集、固液分離処理後の膜分離処理が逆浸透膜分離処理であることを特徴とする水処理方法。
【発明の効果】
【００２３】
本発明の凝集剤によれば、有機物を含む被処理水、特に生物代謝由来の高分子有機物を含む被処理水を凝集処理、又は凝集、固液分離処理した後、後段に膜分離処理、特に逆浸透膜分離処理を行う水処理において、多糖類等の生物代謝由来の高分子有機物を、少ない添加量で効率的に凝集処理して、後段の分離膜の不可逆性のファウリングや透水性能の低下を防止し、長期に亘り安定かつ効率的な水処理を行うことができる。
【図面の簡単な説明】
【００２４】
【図１】グアガムを１ｍｇ／Ｌ含んだ水を逆浸透膜分離処理したときのフラックスの経時変化を示すグラフである。
【図２】図２（ａ）は、製造例１で合成した芳香族ポリアミド粒子（ＰＡ１）の動的光散乱法により測定された粒度分布を示すチャートであり、図２（ｂ）は、製造例２で調製した芳香族ポリアミド粒子（ＰＡ１）の酸性分散液（ＰＡ１−Ｓ）中の芳香族ポリアミド粒子（ＰＡ１）の動的光散乱法により測定された粒度分布を示すチャートである。
【発明を実施するための形態】
【００２５】
以下に本発明の実施の形態を詳細に説明する。
【００２６】
［作用機構］
本発明による作用機構の詳細は明らかではないが、以下のようなものと考えられる。
芳香族ポリアミド粒子は、ポリアミド系材料からなる逆浸透膜の膜面と類似した材料から構成されているため、逆浸透膜の膜面に付着する汚染物質に対し、親和性を有する。そのため、無機凝集剤や高分子凝集剤では除去困難な多糖類の凝集除去に良好な効果を発揮する。
さらに、芳香族ポリアミド粒子に酸を添加し、酸性分散液もしくは酸性溶液とすることにより、芳香族ポリアミド粒子が分散、膨潤、ないしは溶解することで、汚染物質との接触効率が増大し、凝集除去効果が大きくなる。さらに酸性条件から中性条件にｐＨが変化することで、被処理水中で芳香族ポリアミドが不溶化することにより、汚染物質を効果的に巻き込みながら析出し、凝集沈降させることができる。
【００２７】
［芳香族ポリアミド粒子］
本発明で用いる粒径１０μｍ以下の芳香族ポリアミドからなる粒子は、前述の特許文献４を参考に合成することができる。
【００２８】
芳香族ポリアミド粒子の合成に用いる芳香族酸クロライドは、芳香族トリクロライド化合物、芳香族ジクロライド化合物、芳香族テトラクロライド化合物のいずれであっても良く、特に制限されないが、トリメシン酸クロライド、ｍ−フタル酸ジクロライド、ｏ−フタル酸ジクロライド、ｐ−フタル酸ジクロライド、４，４’−ビフェニルジカルボニルクロライド、４，４’−オキシビス（安息香酸クロライド）、ビフェニル−３，３’，５，５’−テトラカルボン酸テトラクロライドなどを使用することができる。これらの芳香族酸クロライドは１種又は２種以上を用いることができる。また、芳香族ジアミン化合物としても特に制限されないが、ｍ−フェニレンジアミン、ｏ−フェニレンジアミン、ｐ−フェニレンジアミン、４，４’−ジアミノジフェニルエーテル、４，４’−ジアミノジフェニルメタン、４，４’−ビス（４−アミノフェノキシ）ビフェニル、１，３−ビス（４−アミノフェノキシ）ベンゼンなどが使用できる。これらの芳香族ジアミン化合物は１種又は２種以上を用いることができる。
【００２９】
芳香族ポリアミド粒子の粒径は１０μｍ以下であればよいが、好ましくは１μｍ以下である。粒径の小さい芳香族ポリアミド粒子であれば、粒子1個当たりの表面積を増加させることができることに加え、芳香族ポリアミド粒子に酸を添加し、酸性分散液もしくは溶液とする際、容易に分散もしくは溶解しやすくなるため好ましい。通常、特許文献４に記載の方法であれば、０．０１〜５μｍ、特に０．２〜０．９μｍ程度の芳香族ポリアミド粒子を製造することができる。
【００３０】
なお、ここで、芳香族ポリアミド粒子の粒径とは、後述の実施例に示されるように、同的光散乱法で測定された粒度分布のピーク、或いは、走査型電子顕微鏡で測定された粒径の平均値である。
【００３１】
作製した芳香族ポリアミド粒子に酸を添加して、酸性分散液もしくは酸性溶液としてもよい。ここで用いる酸としては、硫酸、蟻酸、硝酸、塩酸などが挙げられる。中でも揮発性のない硫酸が望ましい。添加する硫酸の濃度は、芳香族ポリアミド粒子の量にもよるが、１８〜３６規定（濃硫酸）のものが好ましい。芳香族ポリアミド粒子の原料である芳香族酸クロライドとして芳香族トリクロライド化合物を含む場合は、芳香族ポリアミド粒子は三次元架橋構造を有するため、酸を添加しても完全には溶解せず酸性分散液となる。一方、芳香族酸クロライドとして芳香族ジクロライド化合物のみを用いた場合は、芳香族ポリアミド粒子は直鎖構造からなる芳香族ポリアミドから形成されるため、酸を添加すると完全に溶解し酸性溶液となる。
【００３２】
芳香族ポリアミド粒子への硫酸の添加量は、硫酸（純分）として、芳香族ポリアミド粒子１００ｍｇに対して１．８〜３７ｇで、芳香族ポリアミド粒子の濃度が０．３〜５．６重量％となる量とすることが好ましい。
【００３３】
酸性分散液もしくは酸性溶液を用いると、下記実施例で述べるように凝集効果が増大する。この理由は以下の通りと推察される。酸性分散液中では、凝集していた芳香族ポリアミド粒子が分散し、表面積が大きくなる。さらに、それぞれの芳香族ポリアミド粒子は膨潤し、三次元架橋構造中の空隙が大きくなる。その結果、汚染物質は空隙の中に入り込むため、接触面積が増大する。酸性溶液においても同様な作用効果が得られる。
【００３４】
［被処理水］
本発明で処理する被処理水は有機物、特に、生物代謝由来の高分子有機物を含む水であり、例えば、各種産業排水や生活排水または該排水の生物処理水あるいは表層水、地下水などが挙げられる。本発明は特に、生物処理水等の生物代謝由来の高分子有機物を含む被処理水の処理に有効であり、とりわけ多糖類を含む被処理水の処理に好適である。被処理水中の有機物濃度については特に制限はないが、通常上記のような水を被処理水とする場合、被処理水中の生物代謝物等の有機物の含有量は０．１ｍｇ／Ｌ以上、例えば０．１〜１ｍｇ／Ｌ程度である。
【００３５】
この被処理水は、本発明の凝集により凝集、又は凝集、固液分離処理した後、膜分離処理される。
【００３６】
［凝集処理］
有機物を含む被処理水に本発明の凝集剤である芳香族ポリアミド粒子或いはその分散液又は溶液を添加して凝集処理する際の添加量は、被処理水中の有機物含有量や芳香族ポリアミド粒子の粒径、形態（粒子か、分散液か溶液か）にもよるが、有効成分（芳香族ポリアミド粒子）の添加量として、１〜２００ｍｇ／Ｌが望ましい。この添加量が少な過ぎると十分な凝集効果を得ることができず、多過ぎると未反応の芳香族ポリアミドが残留し、処理水の有機物濃度が増加する。
【００３７】
また、芳香族ポリアミド粒子或いはその分散液又は溶液を添加する際の、被処理水のｐＨは中性付近が望ましく、ｐＨ４以上、中でもｐＨ５〜１０が望ましい。ｐＨが低すぎると芳香族ポリアミドが不溶化しにくく、凝集能力が落ちるためである。ｐＨが１０を超えると、ｐＨ調整剤によるコストが増加するほか、中和時に塩濃度が増加するため不適当である。
【００３８】
従って、被処理水に芳香族ポリアミド粒子或いはその分散液又は溶液を添加した後、必要に応じて水酸化ナトリウム等のアルカリを添加して上記のｐＨに調整して凝集処理を行う。
【００３９】
本発明による凝集処理は、通常撹拌下に２〜３０分程度行われる。
【００４０】
［固液分離］
本発明において凝集処理水の固液分離方法には特に制限はなく、常法に従って、沈殿処理、加圧浮上処理、濾過処理、膜分離処理等で固液分離することができる。これらの２種以上を組み合わせて固液分離してもよい。
【００４１】
［膜分離処理］
本発明においては、上述のようにして被処理水を凝集処理又は凝集、固液分離処理して得られた処理水を、膜分離処理する。
この膜分離処理としては、特に逆浸透膜分離処理を行うことが好ましい。
【００４２】
本発明によれば、前段の凝集、又は凝集、固液分離処理で、分離膜の汚染原因物質となる被処理水中の生物代謝物、特に多糖類を高度に除去することができるため、この膜分離処理において、分離膜の性能低下を抑制して長期に亘り安定かつ効率的な水処理を行える。
【実施例】
【００４３】
以下に製造例、実施例および比較例を挙げて本発明をより具体的に説明する。
【００４４】
［製造例１：芳香族ポリアミド粒子（ＰＡ１）の合成］
特許文献４を参考に以下の通りに合成した。
芳香族酸クロライドとしてトリメシン酸クロライドを用い、芳香族ジアミン化合物としてフェニレンジアミンを用い、これらをアセトン中で反応させることで、芳香族ポリアミド粒子（ＰＡ１）を析出させた。下記粒径の測定に従って、純水に分散させたＰＡ１の粒径を動的光散乱法で測定したところ、粒径１５０ｎｍの粒子と粒径９００ｎｍの粒子が確認できた。
【００４５】
［製造例２：芳香族ポリアミド粒子（ＰＡ１）の酸性分散液（ＰＡ１−Ｓ）の調製］
芳香族ポリアミド粒子（ＰＡ１）に、３６規定の濃硫酸を３０ｍｇのＰＡ１に対して１ｍＬ加え、ＰＡ１濃度３０ｍｇ／ｍＬの酸性分散液（ＰＡ１−Ｓ）とした。
【００４６】
［製造例３：芳香族ポリアミド粒子（ＰＡ２）の合成］
特許文献４を参考に以下の通りに合成した。
芳香族酸クロライドとしてｍ−フタル酸ジクロライドを用い、芳香族ジアミン化合物として４，４’−ジアミノジフェニルエーテルを用い、これらをアセトン中で反応させることで、芳香族ポリアミド粒子（ＰＡ２）を析出させた。走査型電子顕微鏡で観察したところ、粒径２μｍに分布した芳香族ポリアミド粒子（ＰＡ２）が得られた。ここで、粒径２μｍに分布したとは、観察により測定された粒子径の平均値が２μｍであることをさす。
【００４７】
［製造例４：芳香族ポリアミド粒子（ＰＡ２）の酸性溶液（ＰＡ２−Ｓ）の調製］
芳香族ポリアミド粒子（ＰＡ２）に、３６規定の濃硫酸を３０ｍｇのＰＡ２に対して１ｍＬ加え、ＰＡ２濃度３０ｍｇ／ｍＬの酸性溶液（ＰＡ２−Ｓ）とした。
【００４８】
［製造例５：芳香族ポリアミド粉末（ＰＡＰ）の合成］
特許文献２を参考に以下の通りに合成した。
トリメシン酸クロライドとフェニレンジアミンを界面重合させることで、芳香族ポリアミドを合成し、これを凍結粉砕により粉末化した。走査型電子顕微鏡で観察したところ、粒径１０〜２００μｍに分布した芳香族ポリアミド粒子（ＰＡＰ）が得られた。
【００４９】
［製造例６：脂肪族ポリアミドの酸性溶液（ＮＹ６−Ｓ）の調製］
ナイロン６（分子量１８，０００、Polysciences,Inc.製）（ＮＹ６）に３６規定の濃硫酸を３０ｍｇのＮＹ６に対して１ｍＬ加え、ＮＹ６濃度３０ｍｇ／ｍＬの酸性溶液（ＮＹ６−Ｓ）とした。酸性溶液中のナイロン６のポリマー径は、以下の換算式（日本膜学会（編）、膜分離プロセスの設計法）を用いて算出した。その結果、ポリマー径は６ｎｍであった。
ｄ＝１．１３×１０１０×ｋ／（π×μ×１０３×Ｍｗ−０．４８）
ｄ：ポリマー径［ｍ］
ｋ：ボルツマン定数（１．３８×１０−２３［Ｊ／Ｋ］）
μ：水の動粘度（０．８９４×１０−６［ｍ２／s］）
Ｍｗ：分子量（１８，０００）
【００５０】
［粒径の測定］
動的光散乱法粒径測定装置（ゼータサイザーナノ、マルバーン社）を用い、純水に分散させたＰＡ１と、ＰＡ１の酸性分散液（ＰＡ１−Ｓ）の粒径測定を行った。結果を図２（ａ），（ｂ）に示す。
ＰＡ１は粒径１５０ｎｍの粒子と粒径９００ｎｍの粒子が確認できた。ＰＡ１−Ｓでは粒径３５０ｎｍの粒子が確認できた。この理由として、ＰＡ１に濃硫酸を添加することで、凝集していた芳香族ポリアミド粒子が個々の粒子に分散するとともに、粒子が膨潤したものと考えられる。このため、下記実施例２で示すように、ＰＡ１−Ｓでは粒子１個当たりの多糖類との接触面積が増大し、ＰＡ１よりも除去効果が大きくなったものと推察される。
【００５１】
［凝集、固液分離実験］
＜実施例１＞
多糖類のモデル物質としてグアガム（グアーコールＦ５０、三栄薬品貿易製）を純水に溶かし、グアガム濃度１ｍｇ／Ｌ、ｐＨ６の水溶液を調製した。このグアガム水溶液５００ｍＬをビーカーに入れ、ビーカー内の水溶液を１５０ｒｐｍで５分間撹拌している最中に、凝集剤としてＰＡ１をＰＡ１濃度が６０ｍｇ／Ｌとなるよう添加した。さらに、５０ｒｐｍで１０分間撹拌することで凝集処理を行った。凝集処理後の水は、孔径０．４５ μｍの親水性ＰＴＦＥ（ポリテトラフルオロエチレン）シリンジフィルターで濾過し、固液分離を行った。この濾過水をＬＣ−ＯＣＤで分析し、分子量１万以上の有機炭素成分のピーク面積を算出した。なお、分子量マーカーとしてデキストランを使用した。有機物の除去率は下記式で算出した。
除去率（％）＝（１−凝集処理水の有機炭素成分ピーク面積／
未凝集処理水の有機炭素成分ピーク面積）×１００
また、この除去率から、添加した凝集剤１ｇ当たりのグアガム除去量を算出した。
【００５２】
＜実施例２＞
ＰＡ１の代わりにＰＡ１−Ｓを、ＰＡ１濃度が６０ｍｇ／Ｌとなるよう添加した後、水酸化ナトリウム水溶液を用いてｐＨを６に合わせた。その他は実施例１と同様に行った。
【００５３】
＜実施例３＞
ＰＡ１の代わりにＰＡ２を、ＰＡ２濃度が４０ｍｇ／Ｌとなるよう添加した。その他は実施例１と同様に行った。
【００５４】
＜実施例４＞
ＰＡ１の代わりに、ＰＡ２−ＳをＰＡ２濃度が１２ｍｇ／Ｌとなるよう添加した後、水酸化ナトリウム水溶液を用いてｐＨを６に合わせた。その他は実施例１と同様に行った。
【００５５】
＜比較例１＞
ＰＡ１の代わりに、ＰＡＰをＰＡＰ濃度が２０００ｍｇ／Ｌとなるよう添加した。その他は実施例１と同様に行った。
【００５６】
＜比較例２＞
ＰＡ１の代わりに、ＮＹ６−ＳをＮＹ６濃度が１２ｍｇ／Ｌとなるよう添加した後、水酸化ナトリウム水溶液を用いてｐＨを６に合わせた。その他は実施例１と同様に行った。
【００５７】
実施例１〜４及び比較例１，２の結果を表１に示す。
【００５８】
【表１】
0006657999.tif 000002
【００５９】
表１より次のことが分かる。
比較例１では、グアガムが除去できているものの、芳香族ポリアミド粒子の粒径が大きく表面積が小さいため、大量に添加する必要があり、凝集剤１ｇ当たりのグアガム除去量は非常に小さかった。
比較例２の芳香環を持たない脂肪族ポリアミドは、多糖類の除去能が殆どない。
実施例１、３では、比較例１よりも芳香族ポリアミド粒子の粒径が小さいため、凝集剤１ｇ当たりのグアガム除去量は増大した。酸性分散液と酸性溶液（実施例２、４）では、さらにグアガム除去量が増大した。これは、芳香族ポリアミド粒子が分散、膨潤、および溶解することで、汚染物質との接触効率が増大したためと考えられる。
【図１】
0006657999.tif 000003
【図２】
0006657999.tif 000004